(57)【要約】      （修正有）【課題】1つのセンサを使用して、紙幣収容部内において紙幣の束を圧縮するリフト部材がホームポジションに位置していることを検出すると共に、紙幣識別部が紙幣識別装置の本体部から取り外されていることを検出する。【解決手段】挿入された紙幣を識別する紙幣識別部2と、有効であると判定された紙幣を収容し、有効な紙幣を整列させて押圧するリフト部材4を備える紙幣収容部7と、紙幣識別部2と紙幣収容部7とが取り付けられる本体部1とを含む紙幣識別装置であって、紙幣識別部2に取り付けられた電気的機能を有する第1のスイッチ部分5と、リフト部材4上に配置され、電気的機能を有さない第2のスイッチ部分4ａとを含み、紙幣識別部2が本体部1に取り付けられ、且つリフト部材4が所定の位置にあるときに、第1のスイッチ部分5と第2のスイッチ部分4ａとが組み合わされることにより1つのスイッチ手段を形成し、第1の出力信号を生成する。【選択図】  図１
2006171852.tif 000002
【特許請求の範囲】
【請求項１】
挿入された紙幣を識別する紙幣識別部と、有効であると判定された紙幣を収容し、該有効な紙幣を整列させて押圧するリフト部材を備える紙幣収容部と、該紙幣識別部と該紙幣収容部とが取り付けられる本体部とを含む紙幣識別装置であって、
該紙幣識別部に取り付けられた電気的機能を有する第1のスイッチ部分と、
該リフト部材上に配置され、電気的機能を有さない第2のスイッチ部分とを含み、
該紙幣識別部が該本体部に取り付けられ、且つ該リフト部材が所定の位置にあるときに、該第1のスイッチ部分と該第2のスイッチ部分とが組み合わさることにより1つのスイッチ手段を形成し、該1つのスイッチ手段は、第1の出力信号を生成する紙幣識別装置。
【請求項２】
請求項１に記載の紙幣識別装置において、該紙幣識別部が該本体部に取り付けられた状態で、該リフト部材が所定の位置にないときに、又は該リフト部材が所定の位置にある状態で、該紙幣識別部が該本体部から取り外されたときに、該1つのスイッチ手段は、第2の出力信号を生成する紙幣識別装置。
【請求項３】
請求項１に記載の紙幣識別装置において、該第1の出力信号は、該リフト部材が所定の位置にあることを検出するのに使用される紙幣識別装置。
【請求項４】
請求項２に記載の紙幣識別装置において、該第2の出力信号は、該紙幣識別部が該本体部から取り外されたということを検出するのに使用される紙幣識別装置。
【請求項５】
請求項１に記載の紙幣識別装置において、第1のスイッチ部分は、1組の発光素子と受光素子とからなる紙幣識別装置。
【請求項６】
請求項１に記載の紙幣識別装置において、第1のスイッチ部分は、磁気センサからなり、該第2のスイッチ部分は、金属部材又は磁性部材からなる紙幣識別装置。
【発明の詳細な説明】
【技術分野】
【０００１】
本発明は、1つのセンサを使用して、紙幣収容部内において紙幣の束を圧縮するリフト部材がホームポジションに位置していることを検出すると共に、紙幣識別部が紙幣識別装置の本体部から取り外されていることを検出することが可能である紙幣識別装置に関する。
【背景技術】
【０００２】
自動販売機に使用される紙幣識別装置は、一般的に、紙幣の有効性を判定して、有効である(真正な紙幣である)と判定された紙幣のみを紙幣収容部に蓄積する。その際に、紙幣の束を整列させて、押圧する押圧板を使用して、その紙幣の束を圧縮することにより紙幣収容部に紙幣を蓄積する。紙幣が満杯状態にあると、押圧板を動作させることができず、それ以上紙幣を蓄積することは不可能であるため、紙幣が満杯状態にあることを何らかの方法で検出する必要がある。１つの方法としては、押圧板の位置を検出することにより、紙幣を蓄積している紙幣収容部が満杯状態にあるか否かを検出する方法がある。
【０００３】
例えば、特開平9-16829号公報には、モータを駆動させることにより、パンタグラフ形状の部材を伸縮させ、そのパンタグラフ形状の部材の一端に接続されている押圧板を駆動させる特徴を開示している。上記の紙幣識別装置においては、モータの軸の回転に連動して移動するラックを紙幣収容部内に設けておき、その動きを紙幣識別部に設けた検出部材によって検出して、押圧板が所定の位置にあることを検出している。上記のラックは、複数のギアとピニオンとによってモータの軸の回転と連動して運動するように構成されるため、複数のギアとピニオンの一部が不完全に係合する等により、ラックの所定の位置と押圧板の所定の位置とが一致しなくなった場合には、押圧板の位置を誤検出するという問題を生じる。
【０００４】
また、実願平2-93124号明細書にも、押圧板が所定の位置にあることを検出する構成が開示されている。具体的には、紙幣収容部内に設けられた復帰位置検出センサにより、押込装置の押圧板が所定の復帰位置にあるか否かを検出している。押圧板が所定の復帰位置にないということを復帰位置検出センサからの信号が示している場合には、モータを逆転させて押圧板を所定の復帰位置に戻す。モータの回転とは無関係に押圧板が所定の復帰位置にあるか否かを検出する上記の構成によれば、モータの空回り等に起因してモータの回転と押圧板の位置とが正確に対応しなくなった場合であっても、押圧板の位置を誤検出するという問題を回避することは可能である。しかしながら、上記の構成においては、センサ手段を紙幣収容部内に設けているため、電子素子が、紙幣識別部と紙幣収容部とにわたって配置されることとなり、基板を別個に設ける必要がある。通常、電子素子は、外部環境、とりわけ、外気温、降雨等による湿気等に極めて敏感であるため、それらの影響を排除するために電子素子をシーリングする必要がある。従って、複数の基板が物理的に離れて存在するということは、シーリングの観点からも好ましいものではない。さらに、また、複数の基板を物理的に離れた位置に配置する必要から、製造工程も複雑化し、製造コストが増大するという問題もある。
【０００５】
さらに、紙幣識別装置においては、紙幣が満杯になると蓄積された紙幣を取り出すが、同時に、紙幣識別部のメンテナンスをするのが通常である。メンテナンスをする場合には、紙幣識別装置本体から紙幣識別部を取り外すことが必要である。かかる場合に、紙幣識別装置本体から紙幣識別部が取り外されたことを検出するようにしておけば便利である。例えば、特開2003-22463号公報は、センサ手段を使用して、紙幣識別装置本体に対する紙幣識別部の僅かな開きを検出する紙幣識別装置を開示している。具体的には、紙幣識別部には、紙幣搬送用のモータに連動したスリット入りのディスクが配置され、その下方にそのディスクをはさむような方法で1組の発光素子と受光素子とからなる検知手段が配置される。その検知手段とスリット入りのディスクとは、協働して1つのセンサ手段として機能する。検知手段が、遮光と受光とを交互に且つ所定の周期で検出する場合には、紙幣識別部は、紙幣識別装置本体に対して閉じている状態にあり、受光のみを検出する場合には、紙幣識別部は、紙幣識別装置本体に対して開いている状態にある。このようにして、紙幣識別部の開閉を検知することは可能である。しかしながら、上記のセンサ手段を使用して押圧板が所定の位置にあることを検出することは不可能であるため、別個に他のセンサ手段を設ける必要がある。従って、上記の紙幣識別装置は、電子素子のシーリングの際の不都合と、製造工程の複雑化に伴う製造コストの増大に直面することとなる。
【０００６】
【特許文献１】特開平9-16829号公報
【特許文献２】実願平2-93124号明細書
【特許文献３】特開2003-22463号公報
【発明の開示】
【発明が解決しようとする課題】
【０００７】
本発明の目的は、上記の従来技術における問題点を解決することにある。すなわち、第1に、紙幣識別部に設けられた1つの検知手段のみを使用して、紙幣収容部内において紙幣の束を圧縮するリフト部材がホームポジションに位置していることを検出すると共に、紙幣識別部が紙幣識別装置の本体から取り外されていることを検出することが可能である紙幣識別装置を提供することである。第2に、モータの回転とは無関係に押圧板が所定の位置にあることを検出することを可能とすることにより、歯車等の不正確な係合等に起因するリフト部材の位置の誤検出を防止することが可能である紙幣識別装置を提供することである。第3に、センサ手段等の電子素子を紙幣識別部に集中配置することにより、電子素子のシーリングが容易になると共に製造コストを著しく低減することが可能である紙幣識別装置を提供することである。
【課題を解決するための手段】
【０００８】
従って、本発明の紙幣識別装置は、挿入された紙幣を識別する紙幣識別部と、有効であると判定された紙幣を収容し、有効な紙幣を整列させて押圧するリフト部材を備える紙幣収容部と、紙幣識別部と紙幣収容部とが取り付けられる本体部分とを含む紙幣識別装置であって、紙幣識別部に取り付けられた電気的機能を有する第1のスイッチ部分と、リフト部材上に配置され、電気的機能を有さない第2のスイッチ部分とを含み、紙幣識別部が本体部分に取り付けられ、且つリフト部材が所定の位置にあるときに、第1のスイッチ部分と第2のスイッチ部分とが組み合わさることにより1つのスイッチ手段を形成し、その1つのスイッチ手段は、第1の出力信号を生成する。
【０００９】
また、本発明の紙幣識別装置において、紙幣識別部が本体部分に取り付けられた状態で、リフト部材が所定の位置にないときに、又はリフト部材が所定の位置にある状態で、紙幣識別部が本体部分から取り外されたときに、1つのスイッチ手段は、第2の出力信号を生成する。
【００１０】
かかる構成により、紙幣識別部に設けられた1つの検知手段のみを使用して、紙幣収容部内において紙幣の束を圧縮するリフト部材がホームポジションに位置していることを検出すると共に、紙幣識別部が紙幣識別装置の本体から取り外されていることを検出することが可能である。さらに、モータが正しく回転しているにもかかわらず歯車等の不正確な係合等により実際にはリフト部材が移動しなかったときであっても、検知手段は、リフト部材が移動したと判定し、従って、リフト部材がホームポジションにないにもかかわらず、ホームポジションにあると判定してしまうといった事態を防止することが可能である。さらに、また、紙幣収容部内には一切の検知手段を設ける必要がないため、検知手段等の電子部品を配置する基板を紙幣識別部内に集中することが可能である。
【発明を実施するための最良の形態】
【００１１】
図1乃至4は、本発明に従った紙幣識別装置の断面図を示す図である。紙幣識別装置は、本体部１と紙幣識別部２と紙幣収容部７とからなる。本体部１は、本体部１の前面に位置するように配置され、挿入される紙幣を受け入れる紙幣挿入口８を備える。紙幣識別部2は、紙幣識別部2が本体部分1に取り付けられたときに紙幣挿入口8に接続され、紙幣収容部７内のスタッカーに紙幣を誘導する紙幣搬送路6と、紙幣搬送路6内で搬送されている紙幣を識別する紙幣識別センサ（図示せず。以下、同様とする。）とを備えている。紙幣識別部2は、紙幣挿入口8の長辺と平行に配置された回転軸12により、紙幣識別装置の本体部1に回転可能に軸結合される。紙幣収容部7は、紙幣識別装置の本体部1の紙幣識別部2が位置する部分の下方に取り付けられる。紙幣収容部7は、紙幣識別装置の前面及び背面に平行であり、且つ、紙幣識別部2の紙幣搬送路6の一部を構成する面と平行に向かい合う面を有する。紙幣識別装置の前面及び背面に平行であり、且つ、紙幣識別部2の紙幣搬送路6の一部を構成する面と平行に向かい合う紙幣収容部7のその面は、紙幣識別部2が紙幣識別装置の本体部分に取り付けられたときに、紙幣識別部2の紙幣搬送路6の一部を構成する面と共に、紙幣搬送路6の一部を形成する。紙幣収容部7は、スタッカーに誘導された紙幣を紙幣識別装置の背面に向かってその背面に垂直な方向に押圧するリフト部材4と、スタックモータ（図示せず。以下、同様とする。）とパンタグラフ形状の部材とを含み、スタックモータを駆動させることによりパンタグラフ形状の部材を伸縮させ、そしてリフト部材を移動させる駆動部9とを備える。紙幣収容部7は、駆動部9を収容するケース部分7ａと、紙幣収容ケース7ｂとから構成される。リフト部材4は、紙幣搬送路6を介して紙幣収容部7内のスタッカーに誘導された紙幣を整列させ、紙幣収容ケース7ｂに収容する。紙幣識別部2は、上記の紙幣識別部2の紙幣搬送路6の一部を構成する面の下方に位置し、紙幣識別装置の前面及び背面に平行な表面上に検知手段5を備える。検知手段5は、主基板3に電気的に接続される。リフト部材4は、紙幣識別部2に配置された検知手段5と向かい合う面を有しており、その面は、リフト部材4から突出しているリブ4ａを有している。
【００１２】
第１図は、本発明に従った紙幣識別装置において、紙幣識別部２が紙幣識別装置の本体部分１に取り付けられており、且つ、リフト部材４がホームポジションにある状態を示している。紙幣識別部２は、紙幣識別装置の本体１に回転可能に軸結合されている。第１図の状態において、紙幣挿入口8に紙幣を挿入すると、紙幣挿入センサ（図示せず。以下、同様とする。）が紙幣の挿入を検知する。紙幣挿入センサにより紙幣の挿入が検出されると、紙幣搬送路６が紙幣を搬送するように駆動される。紙幣搬送路６に沿って搬送位置検出センサが設けられており、搬送位置検出センサは、紙幣の搬送位置を検出する。挿入紙幣が搬送位置検出センサを通過すると、通過した紙幣が紙幣搬送路６を逆戻りしないようにシャッタ部材（図示せず。以下、同様とする。）により紙幣搬送路を閉鎖する。シャッタ部材による紙幣搬送路が閉鎖されるまでの間に、紙幣位置検出センサ、紙幣挿入センサの順で紙幣を検出した場合には、紙幣の不正な抜き取りが行われたと判断し、紙幣識別センサは、紙幣真券信号を出力しない。
【００１３】
シャッタ部材が紙幣搬送路６を閉鎖している間に、紙幣識別センサが紙幣の有効性を判定する。紙幣の識別は、磁気センサと光センサとを併用することにより行われ、挿入された紙幣についてパターンマッチングを行うことにより紙幣の真偽を判定する。紙幣識別センサは、上記の判定の際に、あるレンジの範囲内にある紙幣を有効な紙幣であると判定する。紙幣識別部２は、このレンジを調整するための機能を備えている。例えば、紙幣識別部２のメンテナンスの後に、紙幣識別部２を紙幣識別装置の本体部１に完全に取り付けることなく放置した場合には、隙間からの露光等により、光センサの感度に影響を与える。上記のような場合に、レンジを調整することなく真偽を判定すると、紙幣識別センサは、本来有効であると判断するべき紙幣を拒絶し、あるいは、有効ではないと判断するべき紙幣を有効であると判断することになる。紙幣識別センサが、挿入された紙幣が有効ではないと判断した場合には、シャッタ部が紙幣搬送路を開放し、その紙幣は、紙幣搬送路を逆に通って紙幣挿入口に戻される。紙幣識別センサが、挿入された紙幣が有効であると判断した場合には、紙幣識別手段（図示せず。以下、同様とする。）は、紙幣判定信号を出力し、その紙幣は、紙幣識別装置の本体1内のスタッカーに搬送される。
【００１４】
紙幣収容部7は、リフト部材4及びリフト部材4を駆動する駆動部9とを収容するケース7ａと、紙幣収容ケース7ｂとからなる。紙幣収容ケース7ｂには、背板10が配置され、背板10は、スプリング等により付勢され、収容された紙幣の束をリフト部材4に向かって押す。紙幣識別部2を通過した紙幣は、紙幣識別部2と紙幣収容部7との間にあるスリットを介して紙幣収容部7内のスタッカーに誘導される。リフト部材4は、スタッカーに収容された紙幣の束を整列させ、紙幣収容ケース7ｂに収容するようにその束を背板10に向かって押圧する。リフト部材4は、駆動部9によって駆動されるが、駆動部9は、リフト部材4の位置を検出するためのセンサを備えている必要はない。紙幣識別部2に配置された検知手段5により、リフト部材4の所定の位置を検出するためである。
【００１５】
第2図は、第1図に示されている状態、すなわち、紙幣識別部２が紙幣識別装置の本体部１に取り付けられており、且つ、リフト部材４がホームポジションにある状態で、検出手段5とリフト部材4のリブ4aとが近接して配置されている部分の拡大図である。図2Aは、紙幣識別装置を右側面から見た場合の図2のBで示される部分の拡大図であり、図2Bは、図2Aの矢印Aの方向から、すなわち、紙幣識別像値の上面から下方に向かって上記の部分を見た場合の拡大図である。
【００１６】
検知手段5は、例えば、互いに向かい合って配置される一対の発光ダイオード（LED）等の発光素子と受光素子とからなる。発光素子と受光素子とは、回転軸12に平行な方向で光信号を送受信するように配置される。リフト部材4は、紙幣識別部2に配置された検知手段5と向かい合う表面を有しており、その表面は、リフト部材4から突出しているリブ4ａを有している。第1図に示すように、紙幣識別部2が紙幣識別装置の本体部1に取り付けられており、且つ、リフト部材4がホームポジションに位置している場合に、リフト部材4から突出しているリブ4ａは、検知手段5の発光素子と受光素子との間に、検出手段の発光素子及び受光素子に近接して位置する。この場合において、発光素子からの光は、リブ4ａによって遮光されている。このようにして、検知手段5は、リフト部材4がホームポジションにあるということを検出する。リフト部材4がホームポジションにある状態で、紙幣識別部2が紙幣識別装置の本体1から取り外された場合には、リフト部材4上のリブ4ａは、発光素子と受光素子との間の位置から相対的に移動する。この場合において、リブ4ａにより遮断されていた光が受光素子によって受光されるようになる。このようにして、検知手段5は、紙幣識別部2が紙幣識別装置本体1から取り外されたことを検出する。
【００１７】
さらに、検知手段5は、例えば、第1のスイッチ部分が誘導コイル、ホール素子、磁気抵抗素子等の磁気センサからなるものであってもよい。上記の磁気センサは、紙幣識別部2に取り付けられている。一方、第2のスイッチ部分は、上記の磁気センサに対応して適宜選択されるが、例えば、誘導コイルを用いる場合には、金属部材が選択される。誘導コイルと金属部材との組み合わせの場合には、誘導コイルに高周波電流を流して、該誘導コイルに近接する金属部材との電磁作用を利用することが可能である。これに対して、ホール素子又は磁気抵抗素子を使用する場合には、マグネット等の磁性部材が選択される。ホール素子又は磁気抵抗素子と磁性部材との組み合わせの場合には、ホール素子又は磁気抵抗素子に近接するマグネット等の磁性部材の磁界を検出して利用することが可能である。金属部材又は磁性部材を選択する場合には、リフト部材4から突出しているリブ4aのかわりに金属部材または磁性部材をリフト部材4に配設する。
【００１８】
上記のように検出手段5として磁気センサを使用する場合には、紙幣識別部2が紙幣識別装置の本体部1に取り付けられており、且つ、リフト部材4がホームポジションに位置しているときに、上記の金属部材又は磁性部材と磁気センサとは最も近接して位置することとなる。従って、リフト部材4がホームポジションに位置しているとき、上記の磁気センサは、周知の原理によりその位置を検出することが可能である。一方、リフト部材4がホームポジションに位置している状態で、紙幣識別部2が紙幣識別装置の本体部1から取り外された場合、紙幣識別部2に取り付けられている磁気センサは、リフト部材4に配設されている金属部材又は磁性部材から遠ざかることとなり、それにより検出手段5は、紙幣識別部2が紙幣識別装置の本体部1から取り外されたことを検出する。
【００１９】
第3図は、ホームポジションにあるリフト部材4の検出の様子を図示している。上記のように、リフト部材4は、スタッカーに収容された紙幣の束を整列させ、紙幣収容ケース7ｂに収容するようにその束を背板10に向かって押圧する。この場合において、発光素子と受光素子の間の位置にあったリブ4ａは、リフト部材4の運動に伴って、発光素子と受光素子の間の位置から移動する。この場合に、リブ4ａによって遮光されていた発光素子からの光を受光素子が受光するようになる。従って、検知手段5は、リフト部材が、ホームポジションから移動したことを検出する。紙幣の束が蓄積され、リフト部材4が再びホームポジションに戻った場合には、リブ4ａにより発光素子の光が再び遮光されるため、検知手段5は、リフト部材4が再びホームポジションに戻ったことを検出する。例えば、特開平9-16829号公報に記載されているように、モータを駆動させることにより、パンタグラフ形状の部材を伸縮させ、そのパンタグラフ形状の部材の一端に接続されている押圧板を駆動させる紙幣識別装置において、モータの軸の回転に連動して移動するラックを紙幣収容部内に設けておき、その動きを紙幣識別部に設けた検出部材によって検出して、押圧板が所定の位置にあることを検出する場合には、複数のギアとピニオンの一部が不完全に係合する等により、ラックの所定の位置と押圧板の所定の位置とが一致しなくなった場合には、押圧板の位置を誤検出し、従って、押圧板がホームポジションにないにもかかわらず、ホームポジションにあると判定してしまうという事態を生じ得る。上記のように、本願発明においては、モータの回転とは無関係にリフト部材4の所定の位置を検出するため、かかる不都合を防止することが可能である。
【００２０】
第4図は、リフト部材4がホームポジションにある場合において、紙幣識別部2を紙幣識別装置の本体部1から取り外したときに、その取り外しを検出する様子を示している。上記のように、紙幣識別部2が紙幣識別装置の本体1に取り付けられており、且つ、リフト部材4がホームポジションに位置している場合に、リフト部材4から突出しているリブ4ａは、検知手段5の発光素子と受光素子との間に位置する。この状態で、第4図に示されているように、紙幣識別部2を回転軸12の周りに回転させて紙幣識別装置の本体部分1から取り外した場合には、紙幣識別部に取り付けられた検知手段5は、紙幣識別部2の回転運動に伴って移動する。従って、リフト部材4のリブ4ａが発光素子と受光素子の間の位置から相対的に移動する。そして、リブ4ａによって遮光されていた発光素子からの光を受光素子が受光するようになり、検知手段5は、紙幣識別部2が紙幣識別装置の本体部分1から取り外されたことを検知する。上記の検知は、遮光が解除された瞬間に、すなわち、リブ4ａの端部が発光素子と受光素子とを結ぶ直線を通過した瞬間に行われるため、紙幣識別部2の極めて小さな回転をも検知することが可能である。また、上記のように、例えば、紙幣識別部２のメンテナンスの後に、紙幣識別部２を紙幣識別装置の本体１に完全に取り付けることなく放置した場合には、ごく僅かな隙間があるときであっても、装置外部からの露光等の影響を相殺するため、紙幣識別部2は、紙幣識別の際のレンジを調整するための調整モードに入る。そして、調整の後、すなわち、その露光環境に紙幣識別部2が適合した後に、その隙間が閉じられて紙幣識別部2が完全に取り付けられた場合に、最適なレンジに設定されていないため、紙幣の有効性を誤って判定するといった不都合を生じる。かかる不都合を防止するには、紙幣識別部２と紙幣識別装置の本体部１との間にごく僅かな隙間があるということを検出した場合には、直ちに紙幣識別装置の動作を停止させ、そのような不完全な状態での使用をしないことが必要となる。上記のように、本発明においては、紙幣識別部2が紙幣識別装置の本体部1から取り外されたことの検知は、リブ4ａの端部が発光素子と受光素子とを結ぶ直線を通過した瞬間に行われるため、紙幣識別部2の極めて小さな回転をも検知することが可能であり、上記のように、紙幣識別部２と紙幣識別装置の本体部１との間にごく僅かな隙間があるということを検出した場合には、直ちに紙幣識別装置の動作を停止させる構成をとることも可能である。
【００２１】
また、本発明においては、紙幣識別部２に設けられた検知手段5のみを使用して、紙幣収容部7内において紙幣の束を圧縮するリフト部材4がホームポジションに位置していることを検出すると共に、紙幣識別部2が紙幣識別装置の本体1から取り外されていることを検出することが可能である。さらに、上記の構成をとることにより、紙幣収容部7内には一切の検知手段を設ける必要がないため、検知手段等の電子部品を配置する基板を紙幣識別部2内に集中することが可能である。検知手段等の電子部品は、風雨等の苛酷な外部環境に弱いため、これをシーリングする必要があるが、かかる観点からも、上記の構成は有利である。さらに、検知手段等の電子部品を配置する基板を紙幣識別部2内に集中することが可能であるため、製造工程を単純にすることが可能であり、製造コストの著しい低減が可能である。
【００２２】
以上の説明は、本願発明の一実施例に関するものであり、本願発明の要旨は、これに限定して解釈されるべきものではない。本願発明の技術分野においては、当業者であれば、様々な改変が可能であるが、これらの改変の結果生じた実施物が均等なものである限り、それらは、本願発明の技術的範囲に属するというべきものである。
【図面の簡単な説明】
【００２３】
【図１】リフト部材がホームポジションにあり、且つ、紙幣識別部が紙幣識別装置本体に取り付けられており、通常の動作状態にある本発明の紙幣識別装置を示す図である。
【図２Ａ】本発明の紙幣識別装置の検知手段の周辺部分を拡大して示す図である。
【図２Ｂ】本発明の紙幣識別装置の検知手段の周辺部分を拡大して示す図である。
【図３】紙幣収容部内に配置されたリフト部材が、紙幣を押圧するためにホームポジションから移動した状態を示す図である。
【図４】リフト部材がホームポジションにある状態で、紙幣識別装置本体から紙幣識別部を取り外した状態を示す図である。
【図１】
2006171852.tif 000003
【図２Ａ】
2006171852.tif 000004
【図２Ｂ】
2006171852.tif 000005
【図３】
2006171852.tif 000006
【図４】
2006171852.tif 000007